(57)【要約】    【課題】      スループットを向上させること。    【解決手段】  無線基地局装置１０２２は、再送タイムアウト満了時間が経過する時点より前の時点までにおいて所定の時間だけ上り再送パケットを待ち続けた後に再送待ち解除要求を無線ネットワーク制御装置１０３１へ送信し、無線ネットワーク制御装置１０３１から再送待ち停止を指示する再送待ち解除応答を受信した時に上りパケットの再送待ちを停止する。無線ネットワーク制御装置１０３１は、前記再送待ち解除要求を受信した時に対象上りパケットを他の前記無線基地局装置から受信していることを確認した場合、再送待ち停止を指示する前記再送待ち解除応答を生成して無線基地局装置１０２２に送信する。  【選択図】      図１
2006086989.tif 000002
【特許請求の範囲】
【請求項１】
複数の移動通信端末装置と、前記移動通信端末装置と無線で通信を行う複数の無線基地局装置と、前記複数の無線基地局装置を制御する無線ネットワーク制御装置と、を具備する移動通信システムにおいて、
前記複数の無線基地局装置の各々は、
再送タイムアウト満了時間が経過する時点より前の時点までにおいて所定の時間だけ上り再送パケットを待ち続けた後に再送待ち解除要求を前記無線ネットワーク制御装置に対して送信する再送待ち解除要求手段と、
前記無線ネットワーク制御装置から上りパケットの再送待ち停止を指示する再送待ち解除応答を受信した時に上りパケットの再送待ちを停止する再送待ち停止手段と、を具備し、
前記無線ネットワーク制御装置は、
前記無線基地局装置から前記再送待ち解除要求を受信した時に前記再送待ち解除要求にて指定された対象上りパケットを他の前記無線基地局装置から受信しているかを確認して確認結果を生成するパケット確認手段と、
前記対象上りパケットを前記他の無線基地局装置から受信していることを前記確認結果が示している時に前記再送待ち停止を指示する前記再送待ち解除応答を生成して前記無線基地局装置に送信する再送待ち解除応答手段と、を具備することを特徴とする移動通信システム。
【請求項２】
複数の移動通信端末装置と、前記移動通信端末装置と無線で通信を行う複数の無線基地局装置と、前記複数の無線基地局装置を制御する無線ネットワーク制御装置と、を具備し、前記無線ネットワーク制御装置は、前記無線基地局装置から再送待ち解除要求を受信した時に前記再送待ち解除要求にて指定された対象上りパケットを他の前記無線基地局装置から受信しているかを確認して確認結果を生成するパケット確認手段と、前記対象上りパケットを前記他の無線基地局装置から受信していることを前記確認結果が示している時にのみ再送待ち停止を指示する再送待ち解除応答を生成して前記無線基地局装置に送信する再送待ち解除応答手段と、を具備する移動通信システムにおいて、
再送タイムアウト満了時間が経過する時点より前の時点までにおいて所定の時間だけ上り再送パケットを待ち続けた後に前記再送待ち解除要求を前記無線ネットワーク制御装置に対して送信する再送待ち解除要求手段と、
前記無線ネットワーク制御装置から上りパケットの再送待ち停止を指示する前記再送待ち解除応答を受信した時に上りパケットの再送待ちを停止する再送待ち停止手段と、を具備することを特徴とする無線基地局装置。
【請求項３】
複数の移動通信端末装置と、前記移動通信端末装置と無線で通信を行う複数の無線基地局装置と、前記複数の無線基地局装置を制御する無線ネットワーク制御装置と、を具備し、前記複数の無線基地局装置の各々は、再送タイムアウト満了時間が経過する時点より前の時点までにおいて所定の時間だけ上り再送パケットを待ち続けた後に再送待ち解除要求を前記無線ネットワーク制御装置に対して送信する再送待ち解除要求手段と、前記無線ネットワーク制御装置から上りパケットの再送待ち停止を指示する再送待ち解除応答を受信した時に上りパケットの再送待ちを停止する再送待ち停止手段と、を具備する移動通信システムにおいて、
前記無線基地局装置から前記再送待ち解除要求を受信した時に前記再送待ち解除要求にて指定された対象上りパケットを他の前記無線基地局装置から受信しているかを確認して確認結果を生成するパケット確認手段と、
前記対象上りパケットを前記他の無線基地局装置から受信していることを前記確認結果が示している時に前記再送待ち停止を指示する前記再送待ち解除応答を生成して前記無線基地局装置に送信する再送待ち解除応答手段と、を具備することを特徴とする無線ネットワーク制御装置。
【請求項４】
複数の移動通信端末装置と、前記移動通信端末装置と無線で通信を行う複数の無線基地局装置と、前記複数の無線基地局装置を制御する無線ネットワーク制御装置と、を具備する移動通信システムにおける移動通信方法において、
再送タイムアウト満了時間が経過する時点より前の時点までにおいて前記複数の無線基地局装置の各々が所定の時間だけ上り再送パケットを待ち続けた後に再送待ち解除要求を前記無線ネットワーク制御装置に対して送信する再送待ち解除要求ステップと、
前記無線ネットワーク制御装置が前記無線基地局装置から前記再送待ち解除要求を受信した時に前記再送待ち解除要求にて指定された対象上りパケットを他の前記無線基地局装置から受信しているかを確認して確認結果を生成するパケット確認ステップと、
前記対象上りパケットを前記他の無線基地局装置から受信していることを前記確認結果が示している時に前記無線ネットワーク制御装置が前記再送待ち停止を指示する前記再送待ち解除応答を生成して前記無線基地局装置に送信する再送待ち解除応答ステップと、
前記複数の無線基地局装置の各々が前記無線ネットワーク制御装置から上りパケットの再送待ち停止を指示する前記再送待ち解除応答を受信した時に上りパケットの再送待ちを停止する再送待ち停止ステップと、を具備することを特徴とする移動通信方法。
【請求項５】
複数の移動通信端末装置と、前記移動通信端末装置と無線で通信を行う複数の無線基地局装置と、前記複数の無線基地局装置を制御する無線ネットワーク制御装置と、を具備する移動通信システムにおいて、
再送タイムアウト満了時間が経過する時点より前の時点までにおいて前記複数の無線基地局装置の各々が所定の時間だけ上り再送パケットを待ち続けた後に再送待ち解除要求を前記無線ネットワーク制御装置に対して送信する再送待ち解除要求ステップと、
前記無線ネットワーク制御装置が前記無線基地局装置から前記再送待ち解除要求を受信した時に前記再送待ち解除要求にて指定された対象上りパケットを他の前記無線基地局装置から受信しているかを確認して確認結果を生成するパケット確認ステップと、
前記対象上りパケットを前記他の無線基地局装置から受信していることを前記確認結果が示している時に前記無線ネットワーク制御装置が前記再送待ち停止を指示する前記再送待ち解除応答を生成して前記無線基地局装置に送信する再送待ち解除応答ステップと、
前記複数の無線基地局装置の各々が前記無線ネットワーク制御装置から上りパケットの再送待ち停止を指示する前記再送待ち解除応答を受信した時に上りパケットの再送待ちを停止する再送待ち停止ステップと、を実行させることを特徴とする移動通信プログラム。
【発明の詳細な説明】
【技術分野】
【０００１】
本発明は、複数の移動通信端末装置と、前記移動通信端末装置と無線で通信を行う複数の無線基地局装置と、前記複数の無線基地局装置を制御する無線ネットワーク制御装置と、を具備する移動通信システムに関する。
【背景技術】
【０００２】
従来の移動通信システムとして、図３に示すものがある（非特許文献１参照）。この従来の移動通信システム１０は、上り高速パケット伝送｛ＨＳＵＰＡ（High Speed Uplink Packet Access）｝（または、FDD Enhanced Uplink for UTRAとも呼ぶ）｛非特許文献２参照｝の方式を用いている。
【０００３】
図３に示すように、この従来の移動通信システム１０は、複数の移動通信端末装置１１、複数の無線基地局装置２１〜２４、複数の無線ネットワーク制御装置３１、３２及びコアネットワーク４１を具備している。図１においては、１つの移動通信端末装置１１のみが示されている。
【０００４】
複数の無線基地局装置２１〜２４の各々は、無線エリアを形成している。複数の無線基地局装置２１〜２４の各々は、それぞれ無線エリアに位置している移動通信端末装置１１と無線で通信を行う。複数の無線ネットワーク制御装置３１、３２の各々は、複数の無線基地局装置２１〜２４を制御する。複数の無線ネットワーク制御装置３１、３２の各々は、複数の無線基地局装置２１〜２４からのパケットを処理してコアネットワーク４１に与える。コアネットワーク４１は、移動通信端末装置１１の位置管理及び呼制御などを行なう。
【０００５】
図４は、従来の移動通信システム１０において用いられているＨＳＵＰＡ（High Speed Uplink Packet Access）におけるユーザプレーンプロトコル構成の一例を示している。
【０００６】
次に、従来の移動通信システム１０の動作の具体例について、図３と共に図５を参照して説明する。図５は、従来の移動通信システム１０の動作の具体例を説明するためのシーケンス図である。
【０００７】
図５に示すように、移動通信端末装置１１が無線基地局装置２１と無線基地局装置２２との間でソフトハンドオーバー状態にある場合に、移動通信端末装置１１は、パケットＰ１を無線基地局装置２１と無線基地局装置２２の両方に対して送信する。
【０００８】
無線基地局装置２１と無線基地局装置２２は、パケットＰ１を正常に受信した時に、各々ＡＣＫ１１とＡＣＫ１２を移動通信端末装置１１へ送信し、かつ、受信したパケットＰ１を、無線ネットワーク制御装置３１へ転送する。無線ネットワーク制御装置３１は、無線基地局装置２１と無線基地局装置２２からパケットＰ１を受信した時に、これらのパケットＰ１に対して選択合成の処理を行なった上でパケットＰ１をコアネットワーク４１へ転送する。
【０００９】
次に、移動通信端末装置１１は、ＡＣＫ１１とＡＣＫ１２を受信した後、パケットＰ２を無線基地局装置２１と無線基地局装置２２の両方に対して送信する。
【００１０】
ここで、無線基地局装置２１はパケットＰ２を正常に受信し、かつ、無線基地局装置２２はパケットＰ２を正常に受信しなかった場合に、無線基地局装置２１はＡＣＫ２１を移動通信端末装置１１に送信し、かつ、パケットＰ２を無線ネットワーク制御装置３１へ転送する。
【００１１】
一方、無線基地局装置２２は、ＮＡＣＫ２２を移動通信端末装置１１に送信し、かつ、その時点からプロセスをパケットＰ２用に用いたままでパケットＰ２の再送待ち状態に入る。無線ネットワーク制御装置３１は、無線基地局装置２１からのみパケットＰ２を受信することとなるが、受信できたパケットＰ２のみを対象として選択合成の処理を行なってパケットＰ２をコアネットワーク４１へ転送する。
【００１２】
ここで、移動通信端末装置１１と無線基地局装置２２との間の無線リンクが切断した場合に、移動通信端末装置１１は、ＡＣＫ２１とＮＡＣＫ２２を受信した後に、パケットＰ３を無線基地局装置２１と無線基地局装置２２の両方に対して送信する。無線基地局装置２１は、パケットＰ１及びパケットＰ２と同様の処理を、パケットＰ３に対して行う。
【００１３】
一方、無線基地局装置２２は、無線基地局装置２１を経由してパケットＰ２が無線ネットワーク制御装置３１へ到達しているため、パケットＰ２の再送を待つ必要がないという状況であるにも拘わらずパケットＰ３を受信することができず、かつ、プロセスをパケット２再送待ち用に占有したままでパケットＰ２再送待ち状態を続ける。その後も、無線基地局装置２２の状態は、パケットＰ２の再送待ち状態に入ってから、再送タイムアウト満了時間Ｔ５１が経過するまで同様の状態が続く。
【００１４】
そして、無線基地局装置２２は、再送タイムアウト満了時間Ｔ５１が経過した時点で、パケットＰ２の再送待ちを終了し、パケットＰ２の再送待ち用に占有していたプロセスを解放する。
【００１５】
なお、移動通信端末装置１１は、３以上の複数の無線基地局装置と接続することによりソフトハンドオーバーを実現することもある。  
【非特許文献１】３GPP、TS２５.４０１ UTRAN overall description、V５.７.０
【非特許文献２】３GPP、 TR２５.８９６ Feasibility Study for Enhanced Uplink for UTRA FDD (Release６)、 V６.０.０
【発明の開示】
【発明が解決しようとする課題】
【００１６】
従来の移動通信システムにおいて、移動通信端末装置１１が無線基地局装置２１と無線基地局装置２２との間でソフトハンドオーバー実施中に、移動通信端末装置１１と無線基地局装置２２との間での無線リソースが一時的に切断される状態が発生した場合に、無線基地局装置２２は、再送タイムアウト満了時間Ｔ５１が経過するまで、パケットＰ２の再送待ち用のプロセスを解放することができない。
【００１７】
これは、無線基地局装置２２が、無線基地局装置２１を経由してパケットＰ２が無線ネットワーク制御装置３１へ到達しているため、パケットＰ２の再送を待つ必要がないという状況であるにも拘わらず、再送タイムアウト満了時間が経過するまでパケットＰ２の再送待ちを実施し続けてしまうからである。
【００１８】
このため、従来の移動通信システムにおいて、無線基地局装置２２は、再送タイムアウト満了時間Ｔ５１の期間中に無駄な再送待ちを行ってプロセスを別ユーザへの割当てなどに使用することができなくなるため、無線基地局装置２２におけるスループットの低下を招くという問題がある。
【００１９】
本発明は、スループットを向上させることができる移動通信システム、無線基地局装置、無線ネットワーク制御装置、移動通信方法及び移動通信プログラムを提供することを目的とする。
【課題を解決するための手段】
【００２０】
本発明の第１のものに係る移動通信システムは、複数の移動通信端末装置と、前記移動通信端末装置と無線で通信を行う複数の無線基地局装置と、前記複数の無線基地局装置を制御する無線ネットワーク制御装置と、を具備する移動通信システムにおいて、前記複数の無線基地局装置の各々は、再送タイムアウト満了時間が経過する時点より前の時点までにおいて所定の時間だけ上り再送パケットを待ち続けた後に再送待ち解除要求を前記無線ネットワーク制御装置に対して送信する再送待ち解除要求手段と、前記無線ネットワーク制御装置から上りパケットの再送待ち停止を指示する再送待ち解除応答を受信した時に上りパケットの再送待ちを停止する再送待ち停止手段と、を具備し、前記無線ネットワーク制御装置は、前記無線基地局装置から前記再送待ち解除要求を受信した時に前記再送待ち解除要求にて指定された対象上りパケットを他の前記無線基地局装置から受信しているかを確認して確認結果を生成するパケット確認手段と、前記対象上りパケットを前記他の無線基地局装置から受信していることを前記確認結果が示している時に前記再送待ち停止を指示する前記再送待ち解除応答を生成して前記無線基地局装置に送信する再送待ち解除応答手段と、を具備する構成を採る。
【００２１】
本発明の第２のものに係る無線基地局装置は、複数の移動通信端末装置と、前記移動通信端末装置と無線で通信を行う複数の無線基地局装置と、前記複数の無線基地局装置を制御する無線ネットワーク制御装置と、を具備し、前記無線ネットワーク制御装置は、前記無線基地局装置から再送待ち解除要求を受信した時に前記再送待ち解除要求にて指定された対象上りパケットを他の前記無線基地局装置から受信しているかを確認して確認結果を生成するパケット確認手段と、前記対象上りパケットを前記他の無線基地局装置から受信していることを前記確認結果が示している時に再送待ち停止を指示する再送待ち解除応答を生成して前記無線基地局装置に送信する再送待ち解除応答手段と、を具備する移動通信システムにおいて、再送タイムアウト満了時間が経過する時点より前の時点までにおいて所定の時間だけ上り再送パケットを待ち続けた後に前記再送待ち解除要求を前記無線ネットワーク制御装置に対して送信する再送待ち解除要求手段と、前記無線ネットワーク制御装置から上りパケットの再送待ち停止を指示する前記再送待ち解除応答を受信した時に上りパケットの再送待ちを停止する再送待ち停止手段と、を具備する構成を採る。
【００２２】
本発明の第３のものに係る無線ネットワーク制御装置は、複数の移動通信端末装置と、前記移動通信端末装置と無線で通信を行う複数の無線基地局装置と、前記複数の無線基地局装置を制御する無線ネットワーク制御装置と、を具備し、前記複数の無線基地局装置の各々は、再送タイムアウト満了時間が経過する時点より前の時点までにおいて所定の時間だけ上り再送パケットを待ち続けた後に再送待ち解除要求を前記無線ネットワーク制御装置に対して送信する再送待ち解除要求手段と、前記無線ネットワーク制御装置から上りパケットの再送待ち停止を指示する再送待ち解除応答を受信した時に上りパケットの再送待ちを停止する再送待ち停止手段と、を具備する移動通信システムにおいて、前記無線基地局装置から前記再送待ち解除要求を受信した時に前記再送待ち解除要求にて指定された対象上りパケットを他の前記無線基地局装置から受信しているかを確認して確認結果を生成するパケット確認手段と、前記対象上りパケットを前記他の無線基地局装置から受信していることを前記確認結果が示している時に前記再送待ち停止を指示する前記再送待ち解除応答を生成して前記無線基地局装置に送信する再送待ち解除応答手段と、を具備する構成を採る。
【００２３】
本発明の第４のものに係る移動通信方法は、複数の移動通信端末装置と、前記移動通信端末装置と無線で通信を行う複数の無線基地局装置と、前記複数の無線基地局装置を制御する無線ネットワーク制御装置と、を具備する移動通信システムにおける移動通信方法において、再送タイムアウト満了時間が経過する時点より前の時点までにおいて前記複数の無線基地局装置の各々が所定の時間だけ上り再送パケットを待ち続けた後に再送待ち解除要求を前記無線ネットワーク制御装置に対して送信する再送待ち解除要求ステップと、前記無線ネットワーク制御装置が前記無線基地局装置から前記再送待ち解除要求を受信した時に前記再送待ち解除要求にて指定された対象上りパケットを他の前記無線基地局装置から受信しているかを確認して確認結果を生成するパケット確認ステップと、前記対象上りパケットを前記他の無線基地局装置から受信していることを前記確認結果が示している時に前記無線ネットワーク制御装置が前記再送待ち停止を指示する前記再送待ち解除応答を生成して前記無線基地局装置に送信する再送待ち解除応答ステップと、前記複数の無線基地局装置の各々が前記無線ネットワーク制御装置から上りパケットの再送待ち停止を指示する前記再送待ち解除応答を受信した時に上りパケットの再送待ちを停止する再送待ち停止ステップと、を具備するようにした。
【００２４】
本発明の第５のものに係る移動通信プログラムは、複数の移動通信端末装置と、前記移動通信端末装置と無線で通信を行う複数の無線基地局装置と、前記複数の無線基地局装置を制御する無線ネットワーク制御装置と、を具備する移動通信システムにおいて、再送タイムアウト満了時間が経過する時点より前の時点までにおいて前記複数の無線基地局装置の各々が所定の時間だけ上り再送パケットを待ち続けた後に再送待ち解除要求を前記無線ネットワーク制御装置に対して送信する再送待ち解除要求ステップと、前記無線ネットワーク制御装置が前記無線基地局装置から前記再送待ち解除要求を受信した時に前記再送待ち解除要求にて指定された対象上りパケットを他の前記無線基地局装置から受信しているかを確認して確認結果を生成するパケット確認ステップと、前記対象上りパケットを前記他の無線基地局装置から受信していることを前記確認結果が示している時に前記無線ネットワーク制御装置が前記再送待ち停止を指示する前記再送待ち解除応答を生成して前記無線基地局装置に送信する再送待ち解除応答ステップと、前記複数の無線基地局装置の各々が前記無線ネットワーク制御装置から上りパケットの再送待ち停止を指示する前記再送待ち解除応答を受信した時に上りパケットの再送待ちを停止する再送待ち停止ステップと、を実行させるようにした。
【発明の効果】
【００２５】
本発明によれば、無駄な上りパケットの再送待ちを防止することができるため、スループットを向上させることができる。
【発明を実施するための最良の形態】
【００２６】
次に、本発明の実施の形態について、図面を参照して詳細に説明する。
【００２７】
（一実施の形態）
図１は、本発明の一実施の形態に係る移動通信システムの構成を示すブロック図である。
【００２８】
図１に示すように、本発明の一実施の形態に係る移動通信システム１００は、複数の移動通信端末装置１０１、複数の無線基地局装置１０２１〜１０２４、複数の無線ネットワーク制御装置１０３１、１０３２及びコアネットワーク１０４を具備している。図１においては、１つの移動通信端末装置１０１のみが示されている。
【００２９】
複数の無線基地局装置１０２１〜１０２４の各々は、無線エリアを形成している。複数の無線基地局装置１０２１〜１０２４の各々は、それぞれ無線エリアに位置している移動通信端末装置１０１と無線で通信を行う。複数の無線ネットワーク制御装置１０３１、１０３２の各々は、複数の無線基地局装置１０２１〜１０２４を制御する。複数の無線ネットワーク制御装置１０３１、１０３２の各々は、複数の無線基地局装置１０２１〜１０２４からのパケットを処理してコアネットワーク１０４に与える。コアネットワーク１０４は、移動通信端末装置１０１の位置管理及び呼制御などを行なう。
【００３０】
無線基地局装置１０２１〜１０２４の各々は、再送待ち解除要求部１０５及び再送待ち停止部１０６を具備している。再送待ち解除要求部１０５は、再送タイムアウト満了時間が経過する時点より前の時点までにおいて所定の時間だけ上り再送パケットを待ち続けた後に再送待ち解除要求を無線ネットワーク制御装置１０３１に対して送信する。再送待ち停止部１０６は、無線ネットワーク制御装置１０３１から上りパケットの再送待ち停止を指示する再送待ち解除応答を受信した時に上りパケットの再送待ちを停止する。
【００３１】
無線ネットワーク制御装置１０３１、１０３２の各々は、パケット確認部１０７及び再送待ち解除応答部１０８を具備している。パケット確認部１０７は、無線基地局装置１０２１〜１０２４の再送待ち解除要求部１０５から再送待ち解除要求を受信した時に再送待ち解除要求にて指定された対象上りパケット（対象上りパケット）を他の無線基地局装置から受信しているかを確認して確認結果を生成する。
【００３２】
再送待ち解除応答部１０８は、対象上りパケットを他の無線基地局装置から受信していることを前記確認結果が示している時に再送待ち停止を指示する前記再送待ち解除応答を生成して無線基地局装置１０２１〜１０２４の再送待ち停止部１０６に送信する。
【００３３】
次に、本発明の一実施の形態に係る移動通信システム１００の動作の具体例について、図１と共に図２を参照して詳細に説明する。図２は、本発明の一実施の形態に係る移動通信システム１００の動作の具体例を説明するためのシーケンス図である。
【００３４】
図２に示すように、移動通信端末装置１０１が無線基地局装置１０２１と無線基地局装置１０２２との間でソフトハンドオーバー状態にある場合に、移動通信端末装置１０１は、パケットＰ１０１を無線基地局装置１０２１と無線基地局装置１０２２の両方に対して送信する。
【００３５】
無線基地局装置１０２１と無線基地局装置１０２２は、パケットＰ１０１を正常に受信した時に、各々ＡＣＫ１０１とＡＣＫ１０２を移動通信端末装置１０１へ送信し、かつ、受信したパケットＰ１０１を、無線ネットワーク制御装置１０３１へ転送する。無線ネットワーク制御装置１０３１は、無線基地局装置１０２１と無線基地局装置１０２２からパケットＰ１０１を受信した時に、これらのパケットＰ１０１に対して選択合成の処理を行なった上でパケットＰ１０１をコアネットワーク１０４へ転送する。
【００３６】
次に、移動通信端末装置１０１は、ＡＣＫ１０１とＡＣＫ１０２を受信した後、パケットＰ２０１を無線基地局装置１０２１と無線基地局装置１０２２の両方に対して送信する。
【００３７】
ここで、無線基地局装置１０２１はパケットＰ２０１を正常に受信し、かつ、無線基地局装置１０２２はパケットＰ２０１を正常に受信しなかった場合に、無線基地局装置１０２１はＡＣＫ２０１を移動通信端末装置１０１に送信し、かつ、パケットＰ２０１を無線ネットワーク制御装置１０３１へ転送する。
【００３８】
一方、無線基地局装置１０２２は、ＮＡＣＫ２０２を移動通信端末装置１０１に送信し、かつ、その時点からプロセスをパケットＰ２０１用に用いたままでパケットＰ２０１の再送待ち状態に入る。無線ネットワーク制御装置１０３１は、無線基地局装置１０２１からのみパケットＰ２０１を受信することとなるが、受信できたパケットＰ２０１のみを対象として選択合成の処理を行なってパケットＰ２０１をコアネットワーク１０４へ転送する。
【００３９】
ここで、移動通信端末装置１０１と無線基地局装置１０２２との間の無線リンクが切断した場合に、移動通信端末装置１０１は、ＡＣＫ２０１とＮＡＣＫ２０２を受信した後に、パケットＰ３０１を無線基地局装置１０２１と無線基地局装置１０２２の両方に対して送信する。無線基地局装置１０２１は、パケットＰ１０１及びパケットＰ２０１と同様の処理を、パケットＰ３０１に対して行う。
【００４０】
一方、無線基地局装置１０２２はパケットＰ２０１の再送待ち状態を続けるが、再送待ち解除要求部１０５は再送タイムアウト満了時間Ｔ１０９が経過するまでは待たずに時間Ｔａ１１０が経過した時点で、再送待ち解除要求Ｓ４０１を無線ネットワーク制御装置１０３１に対して送信する。
【００４１】
無線ネットワーク制御装置１０３１が再送待ち解除要求Ｓ４０１を受信すると、パケット確認部１０７は再送待ち解除要求Ｓ４０１にて指定された対象上りパケット（対象上りデータ）を他の無線基地局装置１０２１から受信しているか否かを確認して確認結果を生成する。
【００４２】
再送待ち解除応答部１０８は、対象上りパケットを他の無線基地局装置から受信していることを確認結果が示している時に再送待ち停止を指示する再送待ち解除応答Ｓ４０２を生成して無線基地局装置１０２２の再送待ち停止部１０６に送信する。
【００４３】
これにより、無線基地局装置１０２２は、無線ネットワーク制御装置１０３１からの再送待ち解除応答Ｓ４０２を受信した時点で、パケットＰ２０１の再送待ちを終了し、パケットＰ２０１の再送待ち用に占有していたプロセスを解放する。
【００４４】
なお、時間Ｔａ１１０は、再送待ち解除タイマとして設定した時間を利用してもよく、また、無線基地局装置１０２２において再送待ち用に使用されているプロセス数が予め設定した閾値を超えるまでの期間を利用してもよい。また、無線ネットワーク制御装置１０３１は、パケットＰ２０１の受信状況確認処理において無線基地局装置１０２１からパケットＰ２０１を受信していることが確認できない場合に、パケットＰ２０１の再送待ちの停止を指示する再送待ち解除応答Ｓ４０２を生成しないで、再送待ち続行を指示する再送待ち応答を生成し無線基地局装置１０２２に送信する。
【００４５】
なお、本発明は、本発明の一実施の形態に係る移動通信システムに前述の動作を実行させる移動通信プログラムを含むものである。
【産業上の利用可能性】
【００４６】
本発明は、スループットを向上させることができる効果を有し、移動通信システム、無線基地局装置、無線ネットワーク制御装置及び移動通信方法に有用である。
【図面の簡単な説明】
【００４７】
【図１】本発明の一実施の形態に係る移動通信システムの構成を示すブロック図
【図２】本発明の一実施の形態に係る移動通信システムの動作の具体例を説明するためのシーケンス図
【図３】従来の移動通信システムの構成を示すブロック図
【図４】従来の移動通信システムにおいて用いられているＨＳＵＰＡにおけるユーザプレーンプロトコル構成の一例を示す図
【図５】従来の移動通信システムの動作の具体例を説明するためのシーケンス図
【符号の説明】
【００４８】
１００  移動通信システム
１０１  移動通信端末装置
１０２１〜１０２４  無線基地局装置
１０３１、１０３２  無線ネットワーク制御装置
１０４  コアネットワーク
１０５  再送待ち解除要求部
１０６  再送待ち停止部
１０７  パケット確認部
１０８  再送待ち解除応答部
【図１】
2006086989.tif 000003
【図２】
2006086989.tif 000004
【図３】
2006086989.tif 000005
【図４】
2006086989.tif 000006
【図５】
2006086989.tif 000007